(57)【要約】  本発明の目的は、密封装置を装着するベアリングのアウターレース等のハウジングの軸方向端面に錆が発生するのを有効に抑えることができ、もってこの錆の発生を原因として嵌合固定部が劣化したりシールリップが摺動摩耗したりするのを抑えることができる密封装置を提供することにある。このため、ベアリングにおけるアウターレース等のハウジング２１の軸方向端面２１ａに外部異物である水分が付着して軸方向端面２１ａに錆が発生するのを防止する端面防錆シール部９を有する。端面防錆シール部９は、その構成要素がハウジング２１の軸方向端面２１ａを被覆することにより水分をシールし、または、その構成要素がハウジング２１の軸方向端面２１ａの外周側で庇状に張り出すことにより水分をシールする。【特許請求の範囲】
【請求項１】
ベアリングにおけるアウターレース等のハウジング（２１）の軸方向端面（２１ａ）に外部異物である水分が付着して前記軸方向端面（２１ａ）に錆が発生するのを防止する端面防錆シール部（９）を有することを特徴とする密封装置。
【請求項２】
請求項１の密封装置において、
端面防錆シール部（９）は、その構成要素がハウジング（２１）の軸方向端面（２１ａ）を被覆することにより水分をシールすることを特徴とする密封装置。
【請求項３】
請求項１の密封装置において、
端面防錆シール部（９）は、その構成要素がハウジング（２１）の軸方向端面（２１ａ）の外周側で庇状に張り出すことにより水分をシールすることを特徴とする密封装置。
【請求項４】
ベアリングにおけるアウターレース等のハウジング（２１）の外周側に配置される外周側密封部材（３）を有し、
前記外周側密封部材（３）は、前記ハウジング（２１）の外周側に固定される固定部（８）と、前記ハウジング（２１）の軸方向端面（２１ａ）を被覆する端面防錆シール部（９）と、前記ハウジング（２１）に対する相対回転部材（２２）と組み合わされてシール作用をなす外周側シールリップ部（１０）とを一体に有することを特徴とする密封装置。
【請求項５】
ベアリングにおけるアウターレース等のハウジング（２１）の外周側に配置される外周側密封部材（３）と、前記ハウジング（２１）の内周側に配置される内周側密封部材（２）とを有し、
前記外周側密封部材（３）は、前記ハウジング（２１）の外周側に固定される固定部（８）と、前記ハウジング（２１）に対する相対回転部材（２２）と組み合わされてシール作用をなす外周側シールリップ部（１０）とを一体に有し、
前記内周側密封部材（２）は、前記ハウジング（２１）の内周側に固定される固定部（４）と、前記ハウジング（２１）に対する相対回転部材（２２）と組み合わされてシール作用をなす内周側シールリップ部（５）とを一体に有し、
更に前記外周側密封部材（３）および内周側密封部材（２）の何れか一方の密封部材は、前記ハウジング（２１）の軸方向端面（２１）を被覆する端面防錆シール部（９）と、他方の密封部材に密接して該他方の密封部材との間をシールする密接シール部（１３ｊ）とを有することを特徴とする密封装置。
【請求項６】
ベアリングにおけるアウターレース等のハウジング（２１）の内周側に配置される内周側密封部材（２）を有し、
前記内周側密封部材（２）は、前記ハウジング（２１）の内周側に固定される固定部（４）と、前記ハウジング（２１）の軸方向端面（２１ａ）を被覆する端面防錆シール部（９）と、前記ハウジング（２１）に対する相対回転部材（２２）と組み合わされてシール作用をなす外周側シールリップ部（１０）とを一体に有することを特徴とする密封装置。
【請求項７】
ベアリングにおけるアウターレース等のハウジング（２１）の外周側に配置される外周側密封部材（３）を有し、
前記外周側密封部材（３）は、前記ハウジング（２１）の外周側に固定される固定部（８）と、前記ハウジング（２１）の軸方向端面（２１）の外周側に庇状に張り出す端面防錆シール部（９）と、前記ハウジング（２１）に対する相対回転部材（２２）と組み合わされてシール作用をなす外周側シールリップ部（１０）とを一体に有することを特徴とする密封装置。
【請求項８】
ベアリングにおけるアウターレース等のハウジング（２１）の外周側に配置される外周側密封部材（３）を有し、
前記外周側密封部材（３）は、前記ハウジング（２１）の外周側に固定される固定部（８）と、前記ハウジング（２１）に対する相対回転部材（２２）と組み合わされてシール作用をなす外周側シールリップ部（１０）とを一体に有することを特徴とする密封装置。
【発明の詳細な説明】
【技術分野】
【０００１】
本発明は、密封技術に係る密封装置に関するものである。本発明の密封装置は例えば、自動車関連分野においてハブシール（ハブベアリング用シール）として用いられる。
【背景技術】
【０００２】
従来から、図１１に示す密封装置５１が知られており、この密封装置５１は、シールハウジングをなすベアリングにおけるアウターレース６１と、このアウターレース６１の軸方向端面６１ａと対向する端面部６２ａを有する相対回転部材である回転軸６２との間を密封するものであって、アウターレース６１の内周側に装着され、複数のサイドリップ５３にて回転軸６２の端面部６２ａに摺動自在に密接する密封部材（内周側密封部材）５２を有している（特許文献１参照）。【０００３】
しかしながら、この従来の密封装置５１によると、アウターレース６１の軸方向端面６１ａに対するシール作用が何ら施されていないために、金属材質よりなるアウターレース６１の端面６１ａに外部異物である泥水等の水分が付着することにより端面６１ａに錆が発生することがある。アウターレース６１の端面６１ａに発生した錆はアウターレース６１の内周面へと成長し、アウターレース６１および密封部材５２の金属嵌合部を劣化させて該部シール性に良くない影響を及ぼす。また、アウターレース６１の端面６１ａに発生した錆は、近接対向する回転軸６２の端面部６２ａに転移することもあり、この場合には密封部材５２のサイドリップ５３の摩耗を進行させて該部シール性に良くない影響を及ぼす。【０００４】
【特許文献１】特開平９−２８７６１９号公報
【発明の開示】
【発明が解決しようとする課題】
【０００５】
本発明は以上の点に鑑みて、密封装置を装着する上記アウターレース等のハウジングの軸方向端面に錆が発生するのを有効に抑えることができ、もってこの錆の発生を原因として嵌合固定部が劣化したりシールリップが摺動摩耗したりするのを抑えることができる密封装置を提供することを目的とする。
【課題を解決するための手段】
【０００６】
上記目的を達成するため、本発明の請求項１による密封装置は、ベアリングにおけるアウターレース等のハウジングの軸方向端面に外部異物である水分が付着して前記軸方向端面に錆が発生するのを防止する端面防錆シール部を有することを特徴とするものである。【０００７】
また、本発明の請求項２による密封装置は、上記した請求項１の密封装置において、端面防錆シール部は、その構成要素がハウジングの軸方向端面を被覆することにより水分をシールすることを特徴とするものである。【０００８】
また、本発明の請求項３による密封装置は、上記した請求項１の密封装置において、端面防錆シール部は、その構成要素がハウジングの軸方向端面の外周側で庇状に張り出すことにより水分をシールすることを特徴とするものである。【０００９】
また、本発明の請求項４による密封装置は、ベアリングにおけるアウターレース等のハウジングの外周側に配置される外周側密封部材を有し、前記外周側密封部材は、前記ハウジングの外周側に固定される固定部と、前記ハウジングの軸方向端面を被覆する端面防錆シール部と、前記ハウジングに対する相対回転部材と組み合わされてシール作用をなす外周側シールリップ部とを一体に有することを特徴とするものである。【００１０】
また、本発明の請求項５による密封装置は、ベアリングにおけるアウターレース等のハウジングの外周側に配置される外周側密封部材と、前記ハウジングの内周側に配置される内周側密封部材とを有し、前記外周側密封部材は、前記ハウジングの外周側に固定される固定部と、前記ハウジングに対する相対回転部材と組み合わされてシール作用をなす外周側シールリップ部とを一体に有し、前記内周側密封部材は、前記ハウジングの内周側に固定される固定部と、前記ハウジングに対する相対回転部材と組み合わされてシール作用をなす内周側シールリップ部とを一体に有し、更に前記外周側密封部材および内周側密封部材の何れか一方の密封部材は、前記ハウジングの軸方向端面を被覆する端面防錆シール部と、他方の密封部材に密接して該他方の密封部材との間をシールする密接シール部とを有することを特徴とするものである。【００１１】
また、本発明の請求項６による密封装置は、ベアリングにおけるアウターレース等のハウジングの内周側に配置される内周側密封部材を有し、前記内周側密封部材は、前記ハウジングの内周側に固定される固定部と、前記ハウジングの軸方向端面を被覆する端面防錆シール部と、前記ハウジングに対する相対回転部材と組み合わされてシール作用をなす外周側シールリップ部とを一体に有することを特徴とするものである。【００１２】
また、本発明の請求項７による密封装置は、ベアリングにおけるアウターレース等のハウジングの外周側に配置される外周側密封部材を有し、前記外周側密封部材は、前記ハウジングの外周側に固定される固定部と、前記ハウジングの軸方向端面の外周側に庇状に張り出す端面防錆シール部と、前記ハウジングに対する相対回転部材と組み合わされてシール作用をなす外周側シールリップ部とを一体に有することを特徴とするものである。【００１３】
更にまた、本発明の請求項８による密封装置は、ベアリングにおけるアウターレース等のハウジングの外周側に配置される外周側密封部材を有し、前記外周側密封部材は、前記ハウジングの外周側に固定される固定部と、前記ハウジングに対する相対回転部材と組み合わされてシール作用をなす外周側シールリップ部とを一体に有することを特徴とするものである。【００１４】
上記構成を備えた本発明の請求項１による密封装置は、ハウジング端面防錆用のシール部を有し、このシール部が水分をシールすることによって、ハウジングの軸方向端面に水分が付着するのを防止する。ハウジングの軸方向端面に水分が付着しないようこれをシールするには、保護面であるハウジングの軸方向端面をシール部で被覆することにより外部と遮断してしまうのが最も有効であるが（請求項２）、これに代えて、ハウジングの軸方向端面の外周側に庇状のシール体を張り出し、これによって水分の付着を防止するようにしても良い（請求項３）。【００１５】
本発明の請求項４による密封装置においては、ハウジングの外周側に配置される外周側密封部材が端面防錆シール部を有し、このシール部がハウジングの軸方向端面を被覆することによって、ハウジングの軸方向端面に水分が付着するのを防止する。外周側密封部材は、回転軸等の相対回転部材と組み合わされてシール作用をなす外周側シールリップ部を併せ有しているので、これによっても水分等の異物をシールすることが可能である。【００１６】
本発明の請求項５による密封装置においては、ハウジングの外周側に配置される外周側密封部材およびハウジングの内周側に配置される内周側密封部材の何れか一方の密封部材が端面防錆シール部を有し、このシール部がハウジングの軸方向端面を被覆することによって、ハウジングの軸方向端面に水分が付着するのを防止する。外周側密封部材は、回転軸等の相対回転部材と組み合わされてシール作用をなす外周側シールリップ部を有しているので、これによっても水分等の異物をシールすることが可能である。また、一方の密封部材は、他方の密封部材に密接してこの他方の密封部材との間をシールする密接シール部を併せ有しているので、これにより両密封部材間をシールすることもできる。内周側密封部材に備えられる内周側シールリップ部は、基本的なダストリップとして機能する。【００１７】
本発明の請求項６による密封装置においては、ハウジングの内周側に配置される内周側密封部材が端面防錆シール部を有し、このシール部がハウジングの軸方向端面を被覆することによって、ハウジングの軸方向端面に水分が付着するのを防止する。内周側密封部材は、回転軸等の相対回転部材と組み合わされてシール作用をなす外周側シールリップ部を併せ有しているので、これによっても水分等の異物をシールすることが可能である。【００１８】
本発明の請求項７による密封装置においては、ハウジングの外周側に配置される外周側密封部材が端面防錆シール部を有し、このシール部がハウジングの軸方向端面の外周側で庇状に張り出すことによって、ハウジングの軸方向端面に水分が付着するのを防止する。外周側密封部材は、回転軸等の相対回転部材と組み合わされてシール作用をなす外周側シールリップ部を併せ有しているので、これによっても水分等の異物をシールすることが可能である。【００１９】
また、本発明の請求項８による密封装置においては、ハウジングの外周側に配置される外周側密封部材が外周側シールリップ部を有し、このシールリップ部が相対回転部材と組み合わされてシール作用をなすことによって、ハウジングの軸方向端面に水分が付着するのを防止する。構成要素は、固定部および外周側シールリップ部のみであることから、最もシンプルな構造である。
【発明の効果】
【００２０】
本発明は、以下の効果を奏する。【００２１】
すなわち、本発明の請求項１による密封装置においては、ハウジング端面防錆用のシール部が設けられ、この端面防錆シール部が水分をシールすることによって、ハウジングの軸方向端面に水分が付着して錆が発生するのを防止する。したがって本発明所期の目的どおり、ハウジングの軸方向端面に錆が発生するのを有効に抑えることができ、よってこの錆の発生を原因として嵌合固定部が劣化したりシールリップが摺動摩耗したりするのを抑えることができる。【００２２】
また、本発明の請求項２による密封装置においては、ハウジング端面防錆用のシール部が設けられ、この端面防錆シール部がハウジングの軸方向端面を被覆することによって、この軸方向端面に水分が付着して錆が発生するのを防止する。したがって請求項１に係る発明と同様、ハウジングの軸方向端面に錆が発生するのを有効に抑えることができ、よってこの錆の発生を原因として嵌合固定部が劣化したりシールリップが摺動摩耗したりするのを抑えることができる。【００２３】
また、本発明の請求項３による密封装置においては、ハウジング端面防錆用のシール部が設けられ、この端面防錆シール部がハウジングの軸方向端面の外周側で庇状に張り出すことによって、この軸方向端面に水分が付着して錆が発生するのを防止する。したがって請求項１または２に係る発明と同様、ハウジングの軸方向端面に錆が発生するのを有効に抑えることができ、よってこの錆の発生を原因として嵌合固定部が劣化したりシールリップが摺動摩耗したりするのを抑えることができる。【００２４】
また、本発明の請求項４による密封装置においては、ハウジングの外周側に配置される外周側密封部材に端面防錆シール部が設けられ、この端面防錆シール部がハウジングの軸方向端面を被覆することによって、この軸方向端面に水分が付着して錆が発生するのを防止する。また、外周側密封部材には、回転軸等の相対回転部材と組み合わされてシール作用をなす外周側シールリップ部が併せ設けられていることから、これによっても水分等の異物をシールすることができる。したがって、このようにシール部およびシールリップ部よりなる複数段構造のシールが構成されることから、ハウジング端面に水分が付着して錆が発生するのを一層有効に防止することができる。【００２５】
また、本発明の請求項５による密封装置においては、ハウジングの外周側に配置される外周側密封部材およびハウジングの内周側に配置される内周側密封部材の何れか一方の密封部材に端面防錆シール部が設けられ、この端面防錆シール部がハウジングの軸方向端面を被覆することによって、ハウジングの軸方向端面に水分が付着して錆が発生するのを防止する。外周側密封部材には、回転軸等の相対回転部材と組み合わされてシール作用をなす外周側シールリップ部が設けられていることから、これによっても水分等の異物をシールすることができる。また、一方の密封部材には、他方の密封部材に密接してこの他方の密封部材との間をシールする密接シール部が併せ設けられていることから、これにより両密封部材間をシールすることもできる。したがって、このようにシール部、シールリップ部および密接シール部よりなる複数段構造のシールが構成されることから、ハウジング端面に水分が付着して錆が発生するのを一層有効に防止することができる。【００２６】
また、本発明の請求項６による密封装置においては、ハウジングの内周側に配置される内周側密封部材に端面防錆シール部が設けられ、この端面防錆シール部がハウジングの軸方向端面を被覆することによって、この軸方向端面に水分が付着して錆が発生するのを防止する。また、内周側密封部材には、回転軸等の相対回転部材と組み合わされてシール作用をなす外周側シールリップ部が併せ設けられていることから、これによっても水分等の異物をシールすることができる。したがって、このようにシール部およびシールリップ部よりなる複数段構造のシールが構成されることから、ハウジング端面に水分が付着して錆が発生するのを一層有効に防止することができる。【００２７】
また、本発明の請求項７による密封装置においては、ハウジングの外周側に配置される外周側密封部材に端面防錆シール部が設けられ、この端面防錆シール部がハウジングの軸方向端面の外周側で庇状に張り出すことによって、ハウジングの軸方向端面に水分が付着して錆が発生するのを防止する。外周側密封部材には、回転軸等の相対回転部材と組み合わされてシール作用をなす外周側シールリップ部が併せ設けられていることから、これによっても水分等の異物をシールすることができる。したがって、このようにシール部およびシールリップ部よりなる複数段構造のシールが構成されることから、ハウジング端面に水分が付着して錆が発生するのを一層有効に防止することができる。【００２８】
更にまた、本発明の請求項８による密封装置においては、ハウジングの外周側に配置される外周側密封部材に外周側シールリップ部が設けられ、このシールリップ部が相対回転部材と組み合わされてシール作用をなすことによって、ハウジングの軸方向端面に水分が付着して錆が発生するのを防止する。したがって、ハウジングの軸方向端面に錆が発生するのを有効に抑えることができ、よってこの錆の発生を原因として嵌合固定部が劣化したりシールリップが摺動摩耗したりするのを抑えることができる。また、当該密封装置はその構成要素が固定部および外周側シールリップ部のみよりなり、よってシンプルな構造の密封装置が提供される。
【図面の簡単な説明】
【００２９】
【図１】本発明の第一実施例に係る密封装置の要部断面図
【図２】本発明の第二実施例に係る密封装置の要部断面図
【図３】本発明の第三実施例に係る密封装置の要部断面図
【図４】本発明の第四実施例に係る密封装置の要部断面図
【図５】本発明の第五実施例に係る密封装置の要部断面図
【図６】本発明の第六実施例に係る密封装置の要部断面図
【図７】本発明の第七実施例に係る密封装置の要部断面図
【図８】本発明の第八実施例に係る密封装置の要部断面図
【図９】本発明の第九実施例に係る密封装置の要部断面図
【図１０】本発明の第十実施例に係る密封装置の要部断面図
【図１１】従来例に係る密封装置の要部断面図
【符号の説明】
【００３０】
１  密封装置
２  内周側密封部材
３  外周側密封部材
４，８  固定部
５，１０  シールリップ部
６，１２  金属環
６ａ，１２ａ，１４ａ  筒状部
６ｂ，１２ｂ，１２ｃ，１４ｂ  フランジ部
６ｃ  傾斜面部
７，１３  ゴム状弾性体
７ａ，１３ａ，１３ｄ  静止シール部
７ｂ，１３ｂ，１３ｃ，１３ｇ，１３ｈ，１３ｋ，１３ｍ  被着部
１３ｎ  庇部
１３ｐ  面取り
７ｃ，７ｄ，７ｅ，７ｆ，７ｇ  シールリップ
９  端面防錆シール部
１１  シール
１３ｅ  径方向立ち上がり部
１３ｆ  リップ部
１３ｉ  延長部
１３ｊ  密接シール部
１４  スリンガー（相対回転部材）
２１  アウターレース（ベアリング）
２１ａ  軸方向端面
２２  回転軸（相対回転部材）
２２ａ  軸方向端面部
２２ｂ  周面部
Ａ  ベアリング外部
Ｂ  ベアリング内部
【発明を実施するための最良の形態】
【００３１】
尚、本発明には、以下の実施形態が含まれる。【００３２】
（Ａ）  ベアリングにおけるアウターレース等のハウジングと、前記ハウジングの端面と対向する端面部を有する回転軸等の相手部材との間を密封する密封装置であって、前記ハウジングの内周側に装着され、サイドリップにて前記相手部材の端面部に摺動自在に密接する内周側密封部材を有する密封装置において、前記ハウジングの外周側に装着され、被覆部にて前記ハウジングの端面を被覆し、リップ部にて前記相手部材の端面部と組み合わされて非接触式または接触式のシールを構成する外周側密封部材を有することを特徴とする。【００３３】
この（Ａ）項記載の密封装置によれば、内周側密封部材に対して外周側密封部材が組み合わされ、この外周側密封部材が有する被覆部にてハウジングの端面を被覆することから、ハウジングの端面に水分が付着するのを抑え、もって該端面に錆が発生するのを抑えることができる。また、外周側密封部材が有するリップ部にて相手部材の端面部と組み合わされて非接触式または接触式のシールを構成することから、この非接触式または接触式のシールにて一次シールを構成し、もって機内に水分が浸入しにくい密封装置を構成することができる。水分が浸入しにくくなれば錆の発生を一層有効に抑えることができ、また密封装置本来の機能であるシール性（例えばハブシールにおいて泥水をベアリングに浸入させない機能）を高めることができる。したがって、ハウジングの端面に錆が発生するのを原因として金属嵌合部がある場合にこれが劣化したりサイドリップが摺動摩耗したりするのを有効に抑えることができ、更に優れたシール性を発揮することができる密封装置を提供することができる。【００３４】
（Ｂ）  上記（Ａ）項の密封装置において、外周側密封部材における被覆部の内周側に、内周側密封部材に密接して両密封部材間をシールする密接シール部を設けたことを特徴とする。【００３５】
この（Ｂ）項記載の密封装置によれば、外周側密封部材における被覆部の内周側に、内周側密封部材に密接して両密封部材間をシールする密接シール部が設けられるために、この密接シール部のシール作用によって、両密封部材間からハウジングの方へと水分が浸入するのを抑えることができる。したがって、両密封部材間からハウジングの方へと水分が浸入し、これを原因としてハウジングに錆が発生するのを有効に抑えることができる。【００３６】
（Ｃ）  ベアリングにおけるアウターレース等のハウジングと、前記ハウジングの端面と対向する端面部を有する回転軸等の相手部材との間を密封する密封装置に用いられ、かつ前記ハウジングの内周側に装着され、サイドリップにて前記相手部材の端面部に摺動自在に密接する内周側密封部材と組み合わされて用いられる外周側密封部材であって、前記ハウジングの外周側に装着され、被覆部にて前記ハウジングの端面を被覆し、リップ部にて前記相手部材の端面部と組み合わされて非接触式または接触式のシールを構成することを特徴とする。【００３７】
この（Ｃ）項記載の密封装置によれば、被覆部にてハウジングの端面を被覆することから、ハウジングの端面に水分が付着するのを抑え、もって該端面に錆が発生するのを抑えることができる。また、リップ部にて相手部材の端面部と組み合わされて非接触式または接触式のシールを構成することから、この非接触式または接触式のシールにて一次シールを構成し、もって機内に水分が浸入しにくい密封装置を構成することができる。水分が浸入しにくくなれば錆の発生を一層有効に抑えることができ、また密封装置本来の機能であるシール性を高めることができる。したがって所期の目的どおり、ハウジングの端面に錆が発生するのを原因として密封装置の金属嵌合部がある場合にこれが劣化したりサイドリップが摺動摩耗したりするのを有効に抑えることができ、更に優れたシール性を発揮することができる密封装置を提供することができる。【００３８】
（Ｄ）  上記（Ｃ）項の密封部材において、被覆部の内周側に、内周側密封部材に密接して前記内周側密封部材との間をシールする密接シール部を設けたことを特徴とする。【００３９】
この（Ｄ）項記載の密封装置によれば、被覆部の内周側に、内周側密封部材に密接して内周側密封部材との間をシールする密接シール部が設けられるために、この密接シール部のシール作用によって、内周側密封部材との間からハウジングの方へと水分が浸入するのを抑えることができる。したがって、内周側密封部材との間からハウジングの方へと水分が浸入し、これを原因としてハウジングに錆が発生するのを有効に抑えることができる。【００４０】
（Ｅ）  相手軸端面部とハウジング（アウターレース）面は金属面同士であるため、片側に発生した錆が反対面に転移するなど、錆発生を促している可能性がある。よってこれを回避するため、アウターレース外周部にラビリンスシールを装着する。このラビリンスシールは、相手軸フランジ面の外周方向に延び、軸Ｒ部とゴムリップ部でラビリンス構造を作ることで、水の浸入を抑制する。ハウジングとの嵌合部は金属＋ゴム嵌合とし、錆防止のため装着時に金属環が露出しないようにする。また、軸端面とハウジング端面の錆発生を抑制するため、ハウジング端面部をゴムで覆う形状とする。更にハウジングの面取り部に対して、できるだけ金属露出しないように覆う形状とする。また、被覆部の先端をリップ形状として内側シールの端面部に接触させると、隙間を無くすことができる。以上の構成によれば、錆進行を鈍化することで、シール寿命が向上する。また、ラビリンス構造により耐泥水・耐ダスト性の向上も期待できる。尚、ラビリンスシールはこれに代えて接触式のシールであっても良い。
【実施例】
【００４１】
つぎに本発明の実施例を図面にしたがって説明する。【００４２】
以下に述べる各実施例に係る密封装置１は何れも、自動車用車輪懸架装置におけるベアリング部にハブシール（ハブベアリング用シール）として用いられ、ベアリング外部Ａのダストや水分等の異物がベアリング内部Ｂへ侵入するのを防止するとともにベアリング内部Ｂの潤滑グリースがベアリング外部Ａへ漏洩するのを防止する。【００４３】
第一実施例・・・
図１は、本発明の第一実施例に係る密封装置１の要部断面を示している。当該実施例は、請求項１、請求項２および請求項４に係る発明についての実施例である。【００４４】
すなわち、当該実施例に係る密封装置１は、上記ベアリング部におけるアウターレース（外輪、ハウジング）２１と、このアウターレース２１の軸方向一方（図上右方、以下同じ）の端面（軸方向端面）２１ａと対向する軸方向端面部２２ａを有する回転軸（相対回転部材）２２との間を密封する密封装置であって、アウターレース２１の内周側に装着される内周側密封部材２を有し、更にアウターレース２１の外周側に装着されるとともに内周側密封部材２と組み合わされる外周側密封部材３を有する点に特徴を有している。アウターレース２１は金属材質よりなり、よってこのアウターレース２１の軸方向端面２１ａに錆が発生しないようにすることが当該密封装置１の機能の一つである。両密封部材２，３は以下のように構成されている。【００４５】
すなわち先ず、内周側密封部材２は、その構成要素として、アウターレース２１に固定される固定部４と、回転軸２２に摺動自在に密接するシールリップ部５とを一体に有している。またこの内周側密封部材３は、その構成部品として、アウターレース２１の内周側に嵌合される金属環６と、この金属環６に被着（加硫接着）されたゴム状弾性体７とを有している。【００４６】
金属環６は、アウターレース２１の内周面に嵌合される筒状部６ａと、この筒状部６ａの軸方向一方の端部に径方向内方へ向けて一体成形されたフランジ部６ｂとを一体に有し、この筒状部６ａとフランジ部６ｂとの間にテーパー状の傾斜面部６ｃが一体に形成されている。【００４７】
ゴム状弾性体７は、金属環６の傾斜面部６ｃの外周面に被着されるとともにアウターレース２１の内周面に密接して該部をシールする静止シール部７ａと、金属環６のフランジ部６ｂの外側端面および内周端部に被着された被着部７ｂとを一体に有し、後者の被着部７ｂに、回転軸２２の端面部２２ａに摺動自在に密接して該部をシールする第一シールリップ（外周側サイドリップ）７ｃと、この第一シールリップ７ｃの内周側に配置されるとともに同じく回転軸２２の端面部２２ａに摺動自在に密接して該部をシールする第二シールリップ（内周側サイドリップ）７ｄと、回転軸２２の周面部２２ｂに摺動自在に密接して該部をシールする第三シールリップ（ラジアルリップ）７ｅとが一体成形されている。第一および第二シールリップ７ｃ，７ｄはベアリングの外側Ａを向いて主にダスト用シールとされ、第三シールリップ７ｅはベアリングの内側Ｂを向いて主にグリース用シールとされる。【００４８】
一方、外周側密封部材３は、その構成要素として、アウターレース２１に固定される固定部８と、アウターレース２１の軸方向端面２１ａを被覆する端面防錆シール部（被覆部）９と、端面防錆シール部９の外周側に配置されるとともに回転軸２２と組み合わされてシール１１を形成するシールリップ部１０とを一体に有している。またこの外周側密封部材３は、その構成部品として、アウターレース２１の外周側に嵌合される金属環１２と、この金属環１２に被着されたゴム状弾性体１３とを有している。【００４９】
金属環１２は、アウターレース２１の外周面に嵌合される筒状部１２ａと、この筒状部１２ａの軸方向一方の端部に径方向内方へ向けて一体成形されたフランジ部１２ｂとを一体に有し、後者のフランジ部１２ｂはアウターレース２１の軸方向端面２１ａを被覆可能な径方向長さを有している。【００５０】
ゴム状弾性体１３は、金属環１２の筒状部１２ａにおける軸方向他方（図上左方、以下同じ）の端部に被着されるとともにアウターレース２１の外周面に密接して該部をシールする静止シール部１３ａと、金属環１２の筒状部１２ａの外周面に被着された外周被着部１３ｂと、金属環１２のフランジ部１２ｂの外側端面に被着された端面被着部１３ｃと、同フランジ部１２ｂの内周端部に被着されるとともにアウターレース２１の軸方向端面２１ａ内周部に直接密接して該部をシールする静止シール部１３ｄとを一体に有している。また、被着部１３ｂ，１３ｃ同士の間には、径方向外方へ向けてフランジ状の径方向立ち上がり部１３ｅが一体成形され、この径方向立ち上がり部１３ｅの外周端部に、斜め外方であって回転軸２２の軸方向端面部２２ａに向けてリップ部１３ｆが一体成形されている。【００５１】
上記金属環１２のフランジ部１２ｂならびにゴム状弾性体１３の被着部１３ｃおよび静止シール部１３ｄは、これらによってアウターレース２１の軸方向端面２１ａを被覆することにより水分をシールし、アウターレース２１の軸方向端面２１ａに水分が付着してこの軸方向端面２１ａに錆が発生するのを防止する端面防錆シール部９を構成している。また、シールリップ部１０ないしリップ部１３ｆは、回転軸２２の軸方向端面部２２ａに非接触にて近接配置され、両者によって非接触式シールであるラビリンスシール１１を構成している。【００５２】
上記構成の密封装置１は、上記したようにハブシールとして用いられ、ベアリング外部Ａの泥水等がベアリング内部Ｂへ浸入しないようこれをシールするものであって、上記構成により以下の作用効果を奏する点に特徴を有している。【００５３】
すなわち、上記したように当該密封装置１は、内周側密封部材２と外周側密封部材３との組み合わせよりなり、外周側密封部材３が、アウターレース２１の外周側に装着され、端面防錆シール部９にてアウターレース２１の軸方向端面２１ａを全面に亙って被覆し、更にシールリップ部１０ないしリップ部１３ｆにて回転軸２２の軸方向端面部２２ａとの間にラビリンスシール１１を構成するものとされている。したがって、端面防錆シール部９にてアウターレース２１の軸方向端面２１ａを被覆することから、この軸方向端面２１ａに水分が付着するのを抑え、もってこの軸方向端面２１ａに錆が発生するのを抑えることが可能となる。
また、シールリップ部１０ないしリップ部１３ｆにて回転軸２２の軸方向端面部２２ａとの間にラビリンスシール１１を構成することから、このラビリンスシール１１にて一次シールをなし、もって外部の水分が浸入しにくい密封装置１を構成することが可能となる。水分が浸入しにくくなれば錆の発生を一層有効に抑えることができ、また密封装置１本来の機能であるダストシール機能を高めることもできる。したがって、所期の目的どおりの作用効果を発揮する密封装置１を提供することができる。【００５４】
尚、上記第一実施例では、端面防錆シール部９は、金属環１２およびゴム状弾性体１３の組み合わせにより構成したが、金属環１２またはゴム状弾性体１３の何れか一方のみにより構成しても良い。また、シールリップ部１０ないしリップ部１３ｆは、回転軸２２と組み合わされて非接触式のラビリンスシール１１を構成したが、接触式（摺動式）のシールを構成しても良い。【００５５】
第二実施例・・・
また、内周側密封部材２は、そのシールリップ部５が、回転軸２２に直接ではなく、回転軸２２に固定した部材、例えば金属環（スリンガー）に摺動自在に密接するものであっても良い。【００５６】
すなわち、本発明の第二実施例として図２に示すように、この図２における内周側密封部材２は、その構成部品の一つとして、回転軸２２の外周に固定される金属製のスリンガー１４を有し、このスリンガー１４に対してシールリップ部５が摺動自在に密接する。【００５７】
スリンガー１４は、回転軸２２の周面部２２ｂに嵌合される筒状部１４ａと、この筒状部１４ａの軸方向一方の端部に径方向外方へ向けて一体成形されたフランジ部１４ｂとを一体に有している。また、金属環６は、アウターレース２１の内周面に嵌合される筒状部６ａと、この筒状部６ａの軸方向他方の端部に径方向内方へ向けて一体成形されたフランジ部６ｂとを一体に有している。また、ゴム状弾性体７は、金属環６の筒状部６ａの内周面ならびにフランジ部６ｂの端面および内周端部に被着された被着部７ｂを有し、この被着部７ｂに、スリンガー１４のフランジ部１４ｂの内側端面に摺動自在に密接して該部をシールする第一シールリップ（サイドリップ）７ｃと、スリンガー１４の筒状部１４ａの外周面に摺動自在に密接して該部をシールする第二シールリップ（メインラジアルリップ）７ｆおよび第三シールリップ（サブラジアルリップ）７ｇとが一体に成形されている。第一および第二シールリップ７ｃ，７ｆはベアリングの外側Ａを向いて主にダスト用シールとされ、第三シールリップ７ｇはベアリングの内側Ｂを向いて主にグリース用シールとされる。【００５８】
したがって、この第二実施例では、スリンガー１４が上記特許請求の範囲に記載した相対回転部材に相当する。尚、この第二実施例のその他の構成および作用効果は上記第一実施例と同じである。【００５９】
第三実施例・・・
図３は、本発明の第三実施例に係る密封装置１の要部断面を示している。当該実施例は、請求項１、請求項２、請求項４および請求項５に係る発明についての実施例である。当該実施例において内周側密封部材２および外周側密封部材３は以下のように構成されている。【００６０】
すなわち、内周側密封部材２は、図示するように上記第一実施例と同じ構成とされているので、同一の符号を付してその説明を省略する。【００６１】
一方、外周側密封部材３は、その構成要素として、アウターレース２１に固定される固定部８と、アウターレース２１の軸方向端面２１ａを被覆する端面防錆シール部９と、端面防錆シール部９の外周側に配置されるとともに回転軸２２と組み合わされてシール１１を形成するシールリップ部１０とを一体に有している。またこの外周側密封部材３は、その構成部品として、アウターレース２１の外周側に嵌合される金属環１２と、この金属環１２に被着されたゴム状弾性体１３とを有している。【００６２】
金属環１２は、アウターレース２１の外周面に嵌合される筒状部１２ａと、この筒状部１２ａの軸方向一方の端部に径方向外方へ向けて一体成形されたフランジ部１２ｃとを一体に有している。【００６３】
ゴム状弾性体１３は、金属環１２の筒状部１２ａにおける軸方向他方の端部に被着されるとともにアウターレース２１の外周面に密接して該部をシールする静止シール部１３ａと、金属環１２の筒状部１２ａの外周面に被着された被着部１３ｂと、金属環１２のフランジ部１２ｃの軸方向他方の端面および外周端部に被着された被着部１３ｇと、同フランジ部１２ｃの軸方向一方の端面に被着された被着部１３ｈとを一体に有している。また、被着部１３ｈには、その内周端部から径方向内方へ向けて延長部１３ｉが一体成形され、この延長部１３ｉの内周端部に、内周側密封部材２におけるゴム状弾性体７の軸方向端面に密接して該部をシールするリップ状の密接シール部１３ｊが一体に成形されている。この密接シール部１３ｊが内周側密封部材２におけるゴム状弾性体７の軸方向端面に密接すると、延長部１３ｉはアウターレース２１の軸方向端面２１ａを全面に亙って被覆することになる。また、被着部１３ｈには、その外周端部から斜め外方であって回転軸２２の軸方向端面部２２ａの方向に向けてリップ部１３ｆが一体成形されている。【００６４】
上記ゴム状弾性体１３の延長部１３ｉは、これによってアウターレース２１の軸方向端面２１ａを被覆することにより水分をシールし、アウターレース２１の軸方向端面２１ａに水分が付着してこの軸方向端面２１ａに錆が発生するのを防止する端面防錆シール部９を構成している。また、シールリップ部１０ないしリップ部１３ｆは、回転軸２２の軸方向端面部２２ａに非接触にて近接配置され、両者によって非接触式シールであるラビリンスシール１１を構成している。【００６５】
上記構成の密封装置１は、上記したようにハブシールとして用いられ、ベアリング外部Ａの泥水やダスト等の異物がベアリング内部Ｂへ浸入しないようこれらをシールするものであって、上記構成により以下の作用効果を奏する点に特徴を有している。【００６６】
すなわち、上記したように当該密封装置１は、内周側密封部材２と外周側密封部材３との組み合わせよりなり、外周側密封部材３が、アウターレース２１の外周側に装着され、端面防錆シール部９にてアウターレース２１の軸方向端面２１ａを全面に亙って被覆し、密接シール部１３ｊにて内周側密封部材２に直接密接し、更にシールリップ部１０ないしリップ部１３ｆにて回転軸２２の軸方向端面部２２ａとの間にラビリンスシール１１を構成するものとされている。したがって、端面防錆シール部９にてアウターレース２１の軸方向端面２１ａを被覆する
とともに密接シール部１３ｊにて内周側密封部材２との間を直接シールすることから、アウターレース２１の軸方向端面２１ａに水分が付着するのを抑え、もってこの軸方向端面２１ａに錆が発生するのを抑えることが可能となる。また、シールリップ部１０ないしリップ部１３ｆにて回転軸２２の軸方向端面部２２ａとの間にラビリンスシール１１を構成することから、このラビリンスシール１１にて一次シールをなし、もって外部の水分が浸入しにくい密封装置１を構成することが可能となる。水分が浸入しにくくなれば錆の発生を一層有効に抑えることができ、また密封装置１本来の機能であるダストシール機能を高めることもできる。したがって、所期の目的どおりの作用効果を発揮する密封装置１を提供することができる。【００６７】
尚、上記第三実施例では、端面防錆シール部９は、ゴム状弾性体１３のみにより構成したが、金属環１２に内向きフランジを設ける等して、金属環１２およびゴム状弾性体１３の組み合わせにより構成しても良い。また、シールリップ部１０ないしリップ部１３ｆは、回転軸２２と組み合わされて非接触式のラビリンスシール１１を構成したが、接触式のシールを構成しても良い。【００６８】
第四実施例・・・
また、本発明の第四実施例として図４に示すように、内周側密封部材２は上記第二実施例と同様に、回転軸２２に固定されるスリンガー１４を有するものであっても良い。この場合、密接シール部１３ｊは、内周側密封部材２における金属環６またはゴム状弾性体７の軸方向端面部に密接する。【００６９】
また、図示はしないが、端面防錆シール部９および密接シール部１３ｊはこれらを外周側密封部材３ではなく、内周側密封部材２の方に設ける構成としても良い。【００７０】
第五実施例・・・
図５は、本発明の第五実施例に係る密封装置１の要部断面を示している。当該実施例は、請求項１、請求項２および請求項４に係る発明についての実施例である。当該実施例において内周側密封部材２および外周側密封部材３は以下のように構成されている。【００７１】
すなわち、内周側密封部材２は、図示するように上記第二実施例と同じ構成とされているので、同一の符号を付してその説明を省略する。【００７２】
一方、外周側密封部材３は、その構成要素として、アウターレース２１に固定される固定部８と、アウターレース２１の軸方向端面２１ａを被覆する端面防錆シール部９と、端面防錆シール部９の外周側に配置されるとともに回転軸２２と組み合わされてシール１１を形成するシールリップ部１０とを一体に有している。またこの外周側密封部材３は、その構成部品として、アウターレース２１の外周側に嵌合される金属環１２と、この金属環１２に被着されたゴム状弾性体１３とを有している。【００７３】
金属環１２は、アウターレース２１の外周面に嵌合される筒状部（外周筒部）１２ａと、この筒状部１２ａの軸方向一方の端部に径方向内方へ向けて一体成形されたフランジ部１２ｂとを一体に有し、このフランジ部１２ｂの内周端部に軸方向一方へ向けて筒状の延長部（内周筒部）１２ｄが一体に成形されている。フランジ部１２ｂはアウターレース２１の軸方向端面２１ａを被覆するので、この軸方向端面２１ａを被覆可能な径方向長さを有している。延長部１２ｄは筒状部１２ａよりも長い軸方向長さを有している。【００７４】
ゴム状弾性体１３は、金属環１２の延長部１２ｄの外周面に被着された外周被着部１３ｋと、延長部１２ｄの内周面に被着された内周被着部１３ｍとを有し、この両被着部１３ｋ，１３ｍの間であって延長部１２ｄの先端部に軸方向一方へ向けてリップ部１３ｆが一体成形されている。【００７５】
上記金属環１２のフランジ部１２ｂは、これによってアウターレース２１の軸方向端面２１ａを被覆することにより水分をシールし、アウターレース２１の軸方向端面２１ａに水分が付着してこの軸方向端面２１ａに錆が発生するのを防止する端面防錆シール部９を構成している。また、シールリップ部１０ないしリップ部１３ｆは、回転軸２２の軸方向端面部２２ａと摺動自在に密接し、両者によって接触式のシール１１を構成している。【００７６】
上記構成の密封装置１は、上記したようにハブシールとして用いられ、ベアリング外部Ａの泥水やダスト等の異物がベアリング内部Ｂへ浸入しないようこれらをシールするものであって、上記構成により以下の作用効果を奏する点に特徴を有している。【００７７】
すなわち、上記したように当該密封装置１は、内周側密封部材２と外周側密封部材３との組み合わせよりなり、外周側密封部材３が、アウターレース２１の外周側に装着され、端面防錆シール部９にてアウターレース２１の軸方向端面２１ａを全面に亙って被覆し、更にシールリップ部１０ないしリップ部１３ｆにて回転軸２２の軸方向端面部２２ａとの間に接触式のシール１１を構成するものとされている。したがって、端面防錆シール部９にてアウターレース２１の軸方向端面２１ａを被覆することから、この軸方向端面２１ａに水分が付着するのを抑え、もってこの軸方向端面２１ａに錆が発生するのを抑えることが可能となる。また、シールリップ部１０ないしリップ部１３ｆにて回転軸２２の軸方向端面部２２ａとの間に接触式のシール１１を構成することから、このール１１にて一次シールをなし、もって外部の水分が浸入しにくい密封装置１を構成することが可能となる。水分が浸入しにくくなれば錆の発生を一層有効に抑えることができ、また密封装置１本来の機能であるダストシール機能を高めることもできる。したがって、所期の目的どおりの作用効果を発揮する密封装置１を提供することができる。【００７８】
尚、上記第五実施例では、端面防錆シール部９は、金属環１２のみにより構成したが、金属環１２のフランジ部１２ｂにゴム状弾性体１３の一部を被着する等して、金属環１２およびゴム状弾性体１３の組み合わせにより構成しても良い。また、シールリップ部１０ないしリップ部１３ｆは、回転軸２２と組み合わされて接触式のシール１１を構成したが、非接触式のラビリンスシールを構成しても良い。【００７９】
第六実施例・・・
図６は、本発明の第六実施例に係る密封装置１の要部断面を示している。当該実施例は、請求項１、請求項２および請求項４に係る発明についての実施例である。当該実施例において内周側密封部材（図示せず）および外周側密封部材３は以下のように構成されている。【００８０】
すなわち、図示しない内周側密封部材は、上記第一実施例または第二実施例と同じ構成とされているので、その説明を省略する。【００８１】
一方、外周側密封部材３は、その構成要素として、アウターレース２１に固定される固定部８と、アウターレース２１の軸方向端面２１ａを被覆する端面防錆シール部９と、端面防錆シール部９の外周側に配置されるとともに回転軸２２と組み合わされてシール１１を形成するシールリップ部１０とを一体に有している。またこの外周側密封部材３は、その構成部品として、アウターレース２１の外周側に嵌合される金属環１２と、この金属環１２に被着されたゴム状弾性体１３とを有している。【００８２】
金属環１２は、アウターレース２１の外周面に嵌合される筒状部１２ａと、この筒状部１２ａの軸方向一方の端部に径方向内方へ向けて一体成形されたフランジ部１２ｂとを一体に有し、後者のフランジ部１２ｂはアウターレース２１の軸方向端面２１ａを被覆する。【００８３】
ゴム状弾性体１３は、金属環１２の筒状部１２ａにおける軸方向他方の端部に被着されるとともにアウターレース２１の外周面に密接して該部をシールする静止シール部１３ａと、金属環１２の筒状部１２ａの外周面に被着された外周被着部１３ｂと、金属環１２のフランジ部１２ｂの外側端面に被着された端面被着部１３ｃと、同フランジ部１２ｂの内周端部に被着されるとともにアウターレース２１の軸方向端面２１ａ内周部に直接密接して該部をシールする静止シール部１３ｄとを一体に有している。また、被着部１３ｂ，１３ｃ同士の間には、径方向斜め外方であって回転軸２２の軸方向端面部２２ａに向けてリップ部１３ｆが一体成形されている。【００８４】
上記金属環１２のフランジ部１２ｂならびにゴム状弾性体１３の被着部１３ｃおよび静止シール部１３ｄは、これらによってアウターレース２１の軸方向端面２１ａを被覆することにより水分をシールし、アウターレース２１の軸方向端面２１ａに水分が付着してこの軸方向端面２１ａに錆が発生するのを防止する端面防錆シール部９を構成している。また、シールリップ部１０ないしリップ部１３ｆは、回転軸２２の軸方向端面部２２ａに非接触にて近接配置され、両者によって非接触式シールであるラビリンスシール１１を構成している。【００８５】
上記構成の密封装置１は、上記したようにハブシールとして用いられ、ベアリング外部Ａの泥水やダスト等の異物がベアリング内部Ｂへ浸入しないようこれらをシールするものであって、上記構成により以下の作用効果を奏する点に特徴を有している。【００８６】
すなわち、上記したように当該密封装置１は、内周側密封部材２と外周側密封部材３との組み合わせよりなり、外周側密封部材３が、アウターレース２１の外周側に装着され、端面防錆シール部９にてアウターレース２１の軸方向端面２１ａを全面に亙って被覆し、更にシールリップ部１０ないしリップ部１３ｆにて回転軸２２の軸方向端面部２２ａとの間にラビリンスシール１１を構成するものとされている。したがって、端面防錆シール部９にてアウターレース２１の軸方向端面２１ａを被覆することから、この軸方向端面２１ａに水分が付着するのを抑え、もってこの軸方向端面２１ａに錆が発生するのを抑えることが可能となる。また、シールリップ部１０ないしリップ部１３ｆにて回転軸２２の軸方向端面部２２ａとの間にラビリンスシール１１を構成することから、このラビリンスシール１１にて一次シールをなし、もって外部の水分が浸入しにくい密封装置１を構成することが可能となる。水分が浸入しにくくなれば錆の発生を一層有効に抑えることができ、また密封装置１本来の機能であるダストシール機能を高めることもできる。したがって、所期の目的どおりの作用効果を発揮する密封装置１を提供することができる。【００８７】
尚、上記第六実施例では、端面防錆シール部９は、金属環１２およびゴム状弾性体１３の組み合わせにより構成したが、金属環１２またはゴム状弾性体１３の何れか一方のみにより構成しても良い。また、シールリップ部１０ないしリップ部１３ｆは、回転軸２２と組み合わされて非接触のラビリンスシール１１を構成したが、接触式のシールを構成しても良い。【００８８】
第七実施例・・・
図７は、本発明の第七実施例に係る密封装置１の要部断面を示している。当該実施例は、請求項１、請求項２および請求項６に係る発明についての実施例である。当該実施例に係る密封装置１は、外周側密封部材を有さず内周側密封部材２のみよりなり、内周側密封部材２は以下のように構成されている。【００８９】
すなわち、内周側密封部材２は、その構成要素として、アウターレース２１に固定される固定部４と、固定部４の内周側に配置されるとともに回転軸２２側のスリンガー１４に摺動自在に密接するシールリップ部５と、アウターレース２１の軸方向端面２１ａを被覆する端面防錆シール部９と、端面防錆シール部９の外周側に配置されるとともに回転軸２２と組み合わされてシール１１を形成するシールリップ部１０とを一体に有している。またこの内周側密封部材３は、その構成部品として、アウターレース２１の内周側に嵌合される金属環６と、この金属環６に被着されたゴム状弾性体７と、回転軸２２の外周側に嵌合されるスリンガー１４とを有している。【００９０】
スリンガー１４は、回転軸２２の周面部２２ｂに嵌合される筒状部１４ａと、この筒状部１４ａの軸方向一方の端部に径方向外方へ向けて一体成形されたフランジ部１４ｂとを一体に有している。【００９１】
金属環６は、アウターレース２１の内周面に嵌合される筒状部６ａと、この筒状部６ａの軸方向他方の端部に径方向内方へ向けて一体成形された内向きフランジ部６ｂとを一体に有し、更に筒状部６ａの軸方向一方の端部に径方向外方へ向けて外向きフランジ部６ｄが一体に形成されている。この外向きフランジ部６ｄはアウターレース２１の軸方向端面２１ａを被覆するので、軸方向端面２１ａを被覆可能な径方向長さを有している。【００９２】
ゴム状弾性体７は、金属環６の筒状部６ａの内周面ならびに内向きフランジ部６ｂの端面および内周端部に被着された被着部７ｂを有し、この被着部７ｂに、スリンガー１４のフランジ部１４ｂの内側端面に摺動自在に密接して該部をシールする第一シールリップ（サイドリップ）７ｃと、スリンガー１４の筒状部１４ａの外周面に摺動自在に密接して該部をシールする第二シールリップ（メインラジアルリップ）７ｆおよび第三シールリップ（サブラジアルリップ）７ｇとが一体に成形されている。第一および第二シールリップ７ｃ，７ｆはベアリングの外側Ａを向いて主にダスト用シールとされ、第三シールリップ７ｇはベアリングの内側Ｂを向いて主にグリース用シールとされる。また、このゴム状弾性体７には、金属環６の外向きフランジ部６ｄの外側端面（反アウターレース側端面）および外周端部に被着された被着部７ｈと、外向きフランジ部６ｄの内側端面（アウターレース側端面）に被着された被着部７ｉとが一体成形され、更に被着部７ｈの外周端部には、斜め外方であって回転軸２２の軸方向端面部２２ａに向けてリップ部７ｊが一体成形されている。【００９３】
上記金属環６の外向きフランジ部６ｄおよびゴム状弾性体７の被着部７ｈ，７ｉは、これらによってアウターレース２１の軸方向端面２１ａを被覆することにより水分をシールし、アウターレース２１の軸方向端面２１ａに水分が付着してこの軸方向端面２１ａに錆が発生するのを防止する端面防錆シール部９を構成している。また、シールリップ部１０ないしリップ部１３ｆは、回転軸２２の軸方向端面部２２ａと摺動自在に密接し、両者によって接触式のシール１１を構成している。【００９４】
上記構成の密封装置１は、上記したようにハブシールとして用いられ、ベアリング外部Ａの泥水やダスト等の異物がベアリング内部Ｂへ浸入しないようこれらをシールするものであって、上記構成により以下の作用効果を奏する点に特徴を有している。【００９５】
すなわち、上記したように当該密封装置１においては、内周側密封部材２が端面防錆シール部９にてアウターレース２１の軸方向端面２１ａを全面に亙って被覆し、更にシールリップ部１０ないしリップ部１３ｆにて回転軸２２の軸方向端面部２２ａとの間に接触式のシール１１を構成するものとされている。したがって、端面防錆シール部９にてアウターレース２１の軸方向端面２１ａを被覆することから、この軸方向端面２１ａに水分が付着するのを抑え、もってこの軸方向端面２１ａに錆が発生するのを抑えることが可能となる。また、シールリップ部１０ないしリップ部１３ｆにて回転軸２２の軸方向端面部２２ａとの間に接触式シール１１を構成することから、このシール１１にて一次シールをなし、もって外部の水分が浸入しにくい密封装置１を構成することが可能となる。水分が浸入しにくくなれば錆の発生を一層有効に抑えることができ、また密封装置１本来の機能であるダストシール機能を高めることもできる。したがって、所期の目的どおりの作用効果を発揮する密封装置１を提供することができる。【００９６】
尚、上記第七実施例では、端面防錆シール部９は、金属環６およびゴム状弾性体７の組み合わせにより構成したが、金属環６またはゴム状弾性体７の何れか一方のみにより構成しても良い。また、シールリップ部１０ないしリップ部１３ｆは、回転軸２２と組み合わされて接触式のシール１１を構成したが、非接触式のラビリンスシールを構成しても良い。また、スリンガー１４は省略しても良く、すなわち上記第一実施例と同じタイプのシールリップ部５であっても良い。【００９７】
第八実施例・・・
図８は、本発明の第八実施例に係る密封装置１の要部断面を示している。当該実施例は、請求項１、請求項３および請求項７に係る発明についての実施例である。当該実施例において内周側密封部材（図示せず）および外周側密封部材３は以下のように構成されている。【００９８】
すなわち、図示しない内周側密封部材は、上記第一実施例または第二実施例と同じ構成とされているので、その説明を省略する。【００９９】
一方、外周側密封部材３は、その構成要素として、アウターレース２１に固定される固定部８と、アウターレース２１の軸方向端面２１ａの外周側に庇状に張り出す端面防錆シール部９と、端面防錆シール部９の外周側に配置されるとともに回転軸２２と組み合わされてシール１１を形成するシールリップ部１０とを一体に有している。またこの外周側密封部材３は、その構成部品として、アウターレース２１の外周側に嵌合される金属環１２と、この金属環１２に被着されたゴム状弾性体１３とを有している。【０１００】
金属環１２は、アウターレース２１の外周面に嵌合される筒状部１２ａと、この筒状部１２ａの軸方向一方の端部に径方向外方へ向けて一体成形されたフランジ部１２ｃとを一体に有している。【０１０１】
ゴム状弾性体１３は、金属環１２の筒状部１２ａにおける軸方向他方の端部に被着されるとともにアウターレース２１の外周面に密接して該部をシールする静止シール部１３ａと、金属環１２の筒状部１２ａの外周面に被着された被着部１３ｂと、金属環１２のフランジ部１２ｃの軸方向他方の端面および外周端部に被着された被着部１３ｇと、同フランジ部１２ｃの軸方向一方の端面に被着された被着部１３ｈとを一体に有し、この被着部１３ｈの内周端部に、上記端面防錆シール部９を構成する庇部１３ｎが一体成形されている。この庇部１３ｎは、略円筒面状を呈し、その内周面を軸方向他方から軸方向一方へかけて漸次縮径させる傾斜面状に形成され、アウターレース２１の軸方向端面２１ａの外周側において軸方向端面２１ａよりも軸方向一方へ突出するよう配置されているので、保護面である軸方向端面２１ａを非接触ながらも庇のように覆い、よって軸方向端面２１ａに水分が付着しにくくするものである。また、被着部１３ｈには、その外周端部から斜め外方であって回転軸２２の軸方向端面部２２ａの方向に向けてリップ部１３ｆが一体成形されている。【０１０２】
上記ゴム状弾性体１３の庇部１３ｎは、これによってアウターレース２１の軸方向端面２１ａの外周側に庇状に張り出すことにより水分をシールし、アウターレース２１の軸方向端面２１ａに水分が付着してこの軸方向端面２１ａに錆が発生するのを防止する端面防錆シール部９を構成している。また、シールリップ部１０ないしリップ部１３ｆは、回転軸２２の軸方向端面部２２ａに非接触にて近接配置され、両者によって非接触式シールであるラビリンスシール１１を構成している。【０１０３】
上記構成の密封装置１は、上記したようにハブシールとして用いられ、ベアリング外部Ａの泥水やダスト等の異物がベアリング内部Ｂへ浸入しないようこれらをシールするものであって、上記構成により以下の作用効果を奏する点に特徴を有している。【０１０４】
すなわち、上記したように当該密封装置１は、内周側密封部材と外周側密封部材３との組み合わせよりなり、外周側密封部材３が、アウターレース２１の外周側に装着され、端面防錆シール部９にてアウターレース２１の軸方向端面２１ａを全周に亙って庇状に覆い、更にシールリップ部１０ないしリップ部１３ｆにて回転軸２２の軸方向端面部２２ａとの間にラビリンスシール１１を構成するものとされている。したがって、端面防錆シール部９にてアウターレース２１の軸方向端面２１ａを庇状に覆うことから、この軸方向端面２１ａに水分が付着するのを抑え、もってこの軸方向端面２１ａに錆が発生するのを抑えることが可能となる。また、シールリップ部１０ないしリップ部１３ｆにて回転軸２２の軸方向端面部２２ａとの間にラビリンスシール１１を構成することから、このラビリンスシール１１にて一次シールをなし、もって外部の水分が浸入しにくい密封装置１を構成することが可能となる。水分が浸入しにくくなれば錆の発生を一層有効に抑えることができ、また密封装置１本来の機能であるダストシール機能を高めることもできる。したがって、所期の目的どおりの作用効果を発揮する密封装置１を提供することができる。【０１０５】
尚、上記第八実施例では、端面防錆シール部９は、ゴム状弾性体１３により構成したが、金属環１２により構成しても良く、またゴム状弾性体１３と金属環１２の組み合わせにより構成しても良い。また、シールリップ部１０ないしリップ部１３ｆは、回転軸２２と組み合わされて非接触のラビリンスシール１１を構成したが、接触式（摺動式）のシールを構成しても良い。【０１０６】
第九実施例・・・
また、庇部１３ｎの内周面の形状は、第九実施例として図９に示すように、面取り１３ｐ付きまたは面取りなしの軸方向にストレートな円筒形状であっても良い。【０１０７】
第十実施例・・・
図１０は、本発明の第十実施例に係る密封装置１の要部断面を示している。当該実施例は、請求項８に係る発明についての実施例である。当該実施例において内周側密封部材（図示せず）および外周側密封部材３は以下のように構成されている。【０１０８】
すなわち、図示しない内周側密封部材は、上記第一実施例または第二実施例と同じ構成とされているので、その説明を省略する。【０１０９】
一方、外周側密封部材３は、その構成要素として、アウターレース２１に固定される固定部８と、アウターレース２１の軸方向端面２１ａよりも外周側に配置されるとともに回転軸２２と組み合わされてシール１１を形成するシールリップ部１０とを一体に有している。またこの外周側密封部材３は、その構成部品として、アウターレース２１の外周側に嵌合される金属環１２と、この金属環１２に被着されたゴム状弾性体１３とを有している。【０１１０】
金属環１２は、アウターレース２１の外周面に嵌合される筒状部１２ａと、この筒状部１２ａの軸方向一方の端部に径方向外方へ向けて一体成形されたフランジ部１２ｃとを一体に有している。【０１１１】
ゴム状弾性体１３は、金属環１２のフランジ部１２ｃの外周端部に被着された被着部１３ｑを有し、この被着部１３ｑに、軸方向一方であって回転軸２２の軸方向端面部２２ａに向けてリップ部１３ｆが一体成形されている。【０１１２】
上記シールリップ部１０ないしリップ部１３ｆは、回転軸２２の軸方向端面部２２ａに非接触にて近接配置され、両者によって非接触式シールであるラビリンスシール１１を構成している。【０１１３】
上記構成の密封装置１は、上記したようにハブシールとして用いられ、ベアリング外部Ａの泥水やダスト等の異物がベアリング内部Ｂへ浸入しないようこれらをシールするものであって、上記構成により以下の作用効果を奏する点に特徴を有している。【０１１４】
すなわち、上記したように当該密封装置１は、内周側密封部材と外周側密封部材３との組み合わせよりなり、外周側密封部材３がシールリップ部１０を有し、このシールリップ部１０が回転軸２２と組み合わされてシール作用をなすことによって、アウターレース２１の軸方向端面２１ａに水分が付着するのを防止する。したがって、アウターレース２１の軸方向端面２１ａに錆が発生するのを有効に抑えることができ、よってこの錆の発生を原因として内周側密封部材の嵌合固定部（金属環の筒状部）が劣化したりシールリップが摺動摩耗したりするのを抑えることができる。また、当該密封装置１は、その構成要素が固定部８およびシールリップ部１０のみよりなり、よってシンプルな構造の密封装置１を提供することができる。
【図１】
2006008898.tif 000002
【図２】
2006008898.tif 000003
【図３】
2006008898.tif 000004
【図４】
2006008898.tif 000005
【図５】
2006008898.tif 000006
【図６】
2006008898.tif 000007
【図７】
2006008898.tif 000008
【図８】
2006008898.tif 000009
【図９】
2006008898.tif 000010
【図１０】
2006008898.tif 000011
【図１１】
2006008898.tif 000012
【手続補正書】
【提出日】平成18年2月27日(2006.2.27)
【手続補正１】
【補正対象書類名】特許請求の範囲
【補正対象項目名】全文
【補正方法】変更
【補正の内容】
【書類名】請求の範囲
【請求項１】自動車用車輪懸架装置のベアリング部におけるアウターレース（２１）とこのアウターレース（２１）の軸方向一方の端面（２１ａ）と対向する軸方向端面部（２２ａ）を有する回転軸（２２）との間を密封する密封装置（１）であって、
前記アウターレース（２１）の軸方向端面（２１ａ）に外部異物である水分が付着して前記軸方向端面（２１ａ）に錆が発生するのを防止する端面防錆シール部（９）を有することを特徴とする密封装置。
【請求項２】請求項１の密封装置において、
端面防錆シール部（９）は、その構成要素がアウターレース（２１）の軸方向端面（２１ａ）を被覆することにより水分をシールすることを特徴とする密封装置。
【請求項３】請求項１の密封装置において、
端面防錆シール部（９）は、その構成要素がアウターレース（２１）の軸方向端面（２１ａ）の外周側で庇状に張り出すことにより水分をシールすることを特徴とする密封装置。
【請求項４】自動車用車輪懸架装置のベアリング部におけるアウターレース（２１）とこのアウターレース（２１）の軸方向一方の端面（２１ａ）と対向する軸方向端面部（２２ａ）を有する回転軸（２２）との間を密封する密封装置（１）であって、
前記アウターレース（２１）の外周側に配置される外周側密封部材（３）を有し、
前記外周側密封部材（３）は、前記アウターレース（２１）の外周側に固定される固定部（８）と、前記アウターレース（２１）の軸方向端面（２１ａ）を被覆する端面防錆シール部（９）と、前記回転軸（２２）と組み合わされてシール作用をなす外周側シールリップ部（１０）とを一体に有することを特徴とする密封装置。
【請求項５】自動車用車輪懸架装置のベアリング部におけるアウターレース（２１）とこのアウターレース（２１）の軸方向一方の端面（２１ａ）と対向する軸方向端面部（２２ａ）を有する回転軸（２２）との間を密封する密封装置（１）であって、
前記アウターレース（２１）の外周側に配置される外周側密封部材（３）と、前記アウターレース（２１）の内周側に配置される内周側密封部材（２）とを有し、
前記外周側密封部材（３）は、前記アウターレース（２１）の外周側に固定される固定部（８）と、前記回転軸（２２）と組み合わされてシール作用をなす外周側シールリップ部（１０）とを一体に有し、
前記内周側密封部材（２）は、前記アウターレース（２１）の内周側に固定される固定部（４）と、前記回転軸（２２）と組み合わされてシール作用をなす内周側シールリップ部（５）とを一体に有し、
更に前記外周側密封部材（３）および内周側密封部材（２）の何れか一方の密封部材は、前記アウターレース（２１）の軸方向端面（２１）を被覆する端面防錆シール部（９）と、他方の密封部材に密接して該他方の密封部材との間をシールする密接シール部（１３ｊ）とを有することを特徴とする密封装置。
【請求項６】自動車用車輪懸架装置のベアリング部におけるアウターレース（２１）とこのアウターレース（２１）の軸方向一方の端面（２１ａ）と対向する軸方向端面部（２２ａ）を有する回転軸（２２）との間を密封する密封装置（１）であって、
前記アウターレース（２１）の内周側に配置される内周側密封部材（２）を有し、
前記内周側密封部材（２）は、前記アウターレース（２１）の内周側に固定される固定部（４）と、前記アウターレース（２１）の軸方向端面（２１ａ）を被覆する端面防錆シール部（９）と、前記回転軸（２２）と組み合わされてシール作用をなす外周側シールリップ部（１０）とを一体に有することを特徴とする密封装置。
【請求項７】自動車用車輪懸架装置のベアリング部におけるアウターレース（２１）とこのアウターレース（２１）の軸方向一方の端面（２１ａ）と対向する軸方向端面部（２２ａ）を有する回転軸（２２）との間を密封する密封装置（１）であって、
前記アウターレース（２１）の外周側に配置される外周側密封部材（３）を有し、
前記外周側密封部材（３）は、前記アウターレース（２１）の外周側に固定される固定部（８）と、前記アウターレース（２１）の軸方向端面（２１）の外周側に庇状に張り出す端面防錆シール部（９）と、前記回転軸（２２）と組み合わされてシール作用をなす外周側シールリップ部（１０）とを一体に有することを特徴とする密封装置。
【請求項８】自動車用車輪懸架装置のベアリング部におけるアウターレース（２１）とこのアウターレース（２１）の軸方向一方の端面（２１ａ）と対向する軸方向端面部（２２ａ）を有する回転軸（２２）との間を密封する密封装置（１）であって、
前記アウターレース（２１）の外周側に配置される外周側密封部材（３）を有し、
前記外周側密封部材（３）は、前記アウターレース（２１）の外周側に固定される固定部（８）と、前記回転軸（２２）と組み合わされてシール作用をなす外周側シールリップ部（１０）とを一体に有することを特徴とする密封装置。
【手続補正２】
【補正対象書類名】明細書
【補正対象項目名】発明の名称
【補正方法】変更
【補正の内容】
【発明の名称】密封装置
【手続補正３】
【補正対象書類名】明細書
【補正対象項目名】０００１
【補正方法】変更
【補正の内容】
【０００１】
【技術分野】
［０００１］  本発明は、密封技術に係る密封装置に関するものである。本発明の密封装置は、自動車関連分野においてハブシール（ハブベアリング用シール）として用いられる。
【背景技術】
［０００２］  従来から、図１１に示す密封装置５１が知られており、この密封装置５１は、シールハウジングをなすベアリングにおけるアウターレース６１と、このアウターレース６１の軸方向端面６１ａと対向する端面部６２ａを有する相対回転部材である回転軸６２との間を密封するものであって、アウターレース６１の内周側に装着され、複数のサイドリップ５３にて回転軸６２の端面部６２ａに摺動自在に密接する密封部材（内周側密封部材）５２を有している（特許文献１参照）。
［０００３］  しかしながら、この従来の密封装置５１によると、アウターレース６１の軸方向端面６１ａに対するシール作用が何ら施されていないために、金属材質よりなるアウターレース６１の端面６１ａに外部異物である泥水等の水分が付着することにより端面６１ａに錆が発生することがある。アウターレース６１の端面６１ａに発生した錆はアウターレース６１の内周面へと成長し、アウターレース６１および密封部材５２の金属嵌合部を劣化させて該部シール性に良くない影響を及ぼす。また、アウターレース６１の端面６１ａに発生した錆は、近接対向する回転軸６２の端面部６２ａに転移することもあり、この場合には密封部材５２のサイドリップ５３の摩耗を進行させて該部シール性に良くない影響を及ぼす。
［０００４］【特許文献１】特開平９−２８７６１９号公報
【発明の開示】
【発明が解決しようとする課題】
［０００５］  本発明は以上の点に鑑みて、密封装置を装着する上記アウターレースの軸方向端面に錆が発生するのを有効に抑えることができ、もってこの錆の発生を原因として嵌合固定部が劣化したりシールリップが摺動摩耗したりするのを抑えることができる密封
【手続補正４】
【補正対象書類名】明細書
【補正対象項目名】０００２
【補正方法】変更
【補正の内容】
【０００２】
装置を提供することを目的とする。
【課題を解決するための手段】
［０００６］  上記目的を達成するため、本発明の請求項１による密封装置は、自動車用車輪懸架装置のベアリング部におけるアウターレースとこのアウターレースの軸方向一方の端面と対向する軸方向端面部を有する回転軸との間を密封する密封装置であって、前記アウターレースの軸方向端面に外部異物である水分が付着して前記軸方向端面に錆が発生するのを防止する端面防錆シール部を有することを特徴とするものである。
［０００７］  また、本発明の請求項２による密封装置は、上記した請求項１の密封装置において、端面防錆シール部は、その構成要素がアウターレースの軸方向端面を被覆することにより水分をシールすることを特徴とするものである。
［０００８］  また、本発明の請求項３による密封装置は、上記した請求項１の密封装置において、端面防錆シール部は、その構成要素がアウターレースの軸方向端面の外周側で庇状に張り出すことにより水分をシールすることを特徴とするものである。
［０００９］  また、本発明の請求項４による密封装置は、自動車用車輪懸架装置のベアリング部におけるアウターレースとこのアウターレースの軸方向一方の端面と対向する軸方向端面部を有する回転軸との間を密封する密封装置であって、前記アウターレースの外周側に配置される外周側密封部材を有し、前記外周側密封部材は、前記アウターレースの外周側に固定される固定部と、前記アウターレースの軸方向端面を被覆する端面防錆シール部と、前記回転軸と組み合わされてシール作用をなす外周側シールリップ部とを一体に有することを特徴とするものである。
［００１０］  また、本発明の請求項５による密封装置は、自動車用車輪懸架装置のベアリング部におけるアウターレースとこのアウターレースの軸方向一方の端面と対向する軸方向端面部を有する回転軸との間を密封する密封装置であって、前記アウターレースの外周側に配置される外周側密封部材と、前記アウターレースの内周側に配置される内周側密封部材とを有し、前記外周側密封部材は、前記アウターレースの外周側に固定される固定部と、前記回転軸と組み合わされてシール作用をなす外周側シールリッ
【手続補正５】
【補正対象書類名】明細書
【補正対象項目名】０００３
【補正方法】変更
【補正の内容】
【０００３】
プ部とを一体に有し、前記内周側密封部材は、前記アウターレースの内周側に固定される固定部と、前記回転軸と組み合わされてシール作用をなす内周側シールリップ部とを一体に有し、更に前記外周側密封部材および内周側密封部材の何れか一方の密封部材は、前記アウターレースの軸方向端面を被覆する端面防錆シール部と、他方の密封部材に密接し
て該他方の密封部材との間をシールする密接シール部とを有することを特徴とするものである。
［００１１］  また、本発明の請求項６による密封装置は、自動車用車輪懸架装置のベアリング部におけるアウターレースとこのアウターレースの軸方向一方の端面と対向する軸方向端面部を有する回転軸との間を密封する密封装置であって、前記アウターレースの内周側に配置される内周側密封部材を有し、前記内周側密封部材は、前記アウターレースの内周側に固定される固定部と、前記アウターレースの軸方向端面を被覆する端面防錆シール部と、前記回転軸と組み合わされてシール作用をなす外周側シールリップ部とを一体に有することを特徴とするものである。
［００１２］  また、本発明の請求項７による密封装置は、自動車用車輪懸架装置のベアリング部におけるアウターレースとこのアウターレースの軸方向一方の端面と対向する軸方向端面部を有する回転軸との間を密封する密封装置であって、前記アウターレースの外周側に配置される外周側密封部材を有し、前記外周側密封部材は、前記アウターレースの外周側に固定される固定部と、前記アウターレースの軸方向端面の外周側に庇状に張り出す端面防錆シール部と、前記回転軸と組み合わされてシール作用をなす外周側シールリップ部とを一体に有することを特徴とするものである。
［００１３］  更にまた、本発明の請求項８による密封装置は、自動車用車輪懸架装置のベアリング部におけるアウターレースとこのアウターレースの軸方向一方の端面と対向する軸方向端面部を有する回転軸との間を密封する密封装置であって、前記アウターレースの外周側に配置される外周側密封部材を有し、前記外周側密封部材は、前記アウターレースの外周側に固定される固定部と、前記回転軸と組み合わされてシール作用をなす外周側シールリップ部とを一体に有することを特徴とするものである。
【手続補正６】
【補正対象書類名】明細書
【補正対象項目名】０００４
【補正方法】変更
【補正の内容】
【０００４】
［００１４］  上記構成を備えた本発明の請求項１による密封装置は、アウターレース端面防錆用のシール部を有し、このシール部が水分をシールすることによって、アウターレースの軸方向端面に水分が付着するのを防止する。アウターレースの軸方向端面に水分が付着しないようこれをシールするには、保護面であるアウターレースの軸方向端面をシール部で被覆することにより外部と遮断してしまうのが最も有効であるが（請求項２）、これに代えて、アウターレースの軸方向端面の外周側に庇状のシール体を張り出し、これによって水分の付着を防止するようにしても良い（請求項３）。
［００１５］  本発明の請求項４による密封装置においては、アウターレースの外周側に配置される外周側密封部材が端面防錆シール部を有し、このシール部がアウターレースの軸方向
端面を被覆することによって、アウターレースの軸方向端面に水分が付着するのを防止する。外周側密封部材は、回転軸と組み合わされてシール作用をなす外周側シールリップ部を併せ有しているので、これによっても水分等の異物をシールすることが可能である。
［００１６］  本発明の請求項５による密封装置においては、アウターレースの外周側に配置される外周側密封部材およびアウターレースの内周側に配置される内周側密封部材の何れか一方の密封部材が端面防錆シール部を有し、このシール部がアウターレースの軸方向端面を被覆することによって、アウターレースの軸方向端面に水分が付着するのを防止する。外周側密封部材は、回転軸と組み合わされてシール作用をなす外周側シールリップ部を有しているので、これによっても水分等の異物をシールすることが可能である。また、一方の密封部材は、他方の密封部材に密接してこの他方の密封部材との間をシールする密接シール部を併せ有しているので、これにより両密封部材間をシールすることもできる。内周側密封部材に備えられる内周側シールリップ部は、基本的なダストリップとして機能する。
［００１７］  本発明の請求項６による密封装置においては、アウターレースの内周側に配置される内周側密封部材が端面防錆シール部を有し、このシール部がアウターレースの軸方向端面を被覆することによって、アウターレースの軸方向端面に水分が付着するの
【手続補正７】
【補正対象書類名】明細書
【補正対象項目名】０００５
【補正方法】変更
【補正の内容】
【０００５】
を防止する。内周側密封部材は、回転軸と組み合わされてシール作用をなす外周側シールリップ部を併せ有しているので、これによっても水分等の異物をシールすることが可能である。
［００１８］  本発明の請求項７による密封装置においては、アウターレースの外周側に配置される外周側密封部材が端面防錆シール部を有し、このシール部がアウターレースの軸方向端面の外周側で庇状に張り出すことによって、アウターレースの軸方向端面に水分が付着するのを防止する。外周側密封部材は、回転軸と組み合わされてシール作用をなす外周側シールリップ部を併せ有しているので、これによっても水分等の異物をシールすることが可能である。
［００１９］  また、本発明の請求項８による密封装置においては、アウターレースの外周側に配置される外周側密封部材が外周側シールリップ部を有し、このシールリップ部が回転軸と組み合わされてシール作用をなすことによって、アウターレースの軸方向端面に水分が付着するのを防止する。構成要素は、固定部および外周側シールリップ部のみであることから、最もシンプルな構造である。
【発明の効果】
［００２０］  本発明は、以下の効果を奏する。
［００２１］  すなわち、本発明の請求項１による密封装置においては、アウターレース端面防錆用のシール部が設けられ、この端面防錆シール部が水分をシールすることによって、アウターレースの軸方向端面に水分が付着して錆が発生するのを防止する。したがって本発明所期の目的どおり、アウターレースの軸方向端面に錆が発生するのを有効に抑えることができ、よってこの錆の発生を原因として嵌合固定部が劣化したりシールリップが摺動摩耗したりするのを抑えることができる。
［００２２］  また、本発明の請求項２による密封装置においては、アウターレース端面防錆用のシール部が設けられ、この端面防錆シール部がアウターレースの軸方向端面を被覆することによって、この軸方向端面に水分が付着して錆が発生するのを防止する。したがって請求項１に係る発明と同様、アウターレースの軸方向端面に錆が発生するのを有効に抑えることができ、よってこの錆の発生を原因として嵌合固定部が劣化したり
【手続補正８】
【補正対象書類名】明細書
【補正対象項目名】０００６
【補正方法】変更
【補正の内容】
【０００６】
シールリップが摺動摩耗したりするのを抑えることができる。
［００２３］  また、本発明の請求項３による密封装置においては、アウターレース端面防錆用のシール部が設けられ、この端面防錆シール部がアウターレースの軸方向端面の外周側で庇状に張り出すことによって、この軸方向端面に水分が付着して錆が発生するのを防止する。したがって請求項１または２に係る発明と同様、アウターレースの軸方向端面に錆が発生するのを有効に抑えることができ、よってこの錆の発生を原因として嵌合固定部が劣化したりシールリップが摺動摩耗したりするのを抑えることができる。
［００２４］  また、本発明の請求項４による密封装置においては、アウターレースの外周側に配置される外周側密封部材に端面防錆シール部が設けられ、この端面防錆シール部がアウターレースの軸方向端面を被覆することによって、この軸方向端面に水分が付着して錆が発生するのを防止する。また、外周側密封部材には、回転軸と組み合わされてシール作用をなす外周側シールリップ部が併せ設けられていることから、これによっても水分等の異物をシールすることができる。したがって、このようにシール部およびシールリップ部よりなる複数段構造のシールが構成されることから、アウターレース端面に水分が付着して錆が発生するのを一層有効に防止することができる。
［００２５］  また、本発明の請求項５による密封装置においては、アウターレースの外周側に配置される外周側密封部材およびアウターレースの内周側に配置される内周側密封部材の何れか一方の密封部材に端面防錆シール部が設けられ、この端面防錆シール部がアウターレースの軸方向端面を被覆することによって、アウターレースの軸方向端面に水分が付着して錆が発生するのを防止する。外周側密封部材には、回転軸と組み合わされてシール作用をなす外周側シールリップ部が設けられていることから、これによっても水分等の異物をシールすることができる。また、一方の密封部材には、他方の密封部材に密接してこの他方の密封部材との間をシールする密接シール部が併せ設けられていることから、これにより両密封部材間をシールすることもできる。したがって、このようにシール部、シールリップ部および密接シール部よりなる複数段構造のシールが構成されることから、アウターレース端面に水分が付着して錆が発生するのを一層有効に防止することができる。
【手続補正９】
【補正対象書類名】明細書
【補正対象項目名】０００７
【補正方法】変更
【補正の内容】
【０００７】
［００２６］  また、本発明の請求項６による密封装置においては、アウターレースの内周側に配置される内周側密封部材に端面防錆シール部が設けられ、この端面防錆シール部がアウターレースの軸方向端面を被覆することによって、この軸方向端面に水分が付着して錆が発生するのを防止する。また、内周側密封部材には、回転軸と組み合わされてシール作用をなす外周側シールリップ部が併せ設けられていることから、これによっても水分等の異物をシールすることができる。したがって、このようにシール部およびシールリップ部よりなる複数段構造のシールが構成されることから、アウターレース端面に水分が付着して錆が発生するのを一層有効に防止することができる。
［００２７］  また、本発明の請求項７による密封装置においては、アウターレースの外周側に配置される外周側密封部材に端面防錆シール部が設けられ、この端面防錆シール部がアウターレースの軸方向端面の外周側で庇状に張り出すことによって、アウターレースの軸方向端面に水分が付着して錆が発生するのを防止する。外周側密封部材には、回転軸と組み合わされてシール作用をなす外周側シールリップ部が併せ設けられていることから、これによっても水分等の異物をシールすることができる。したがって、このようにシール部およびシールリップ部よりなる複数段構造のシールが構成されることから、アウターレース端面に水分が付着して錆が発生するのを一層有効に防止することができる。
［００２８］  更にまた、本発明の請求項８による密封装置においては、アウターレースの外周側に配置される外周側密封部材に外周側シールリップ部が設けられ、このシールリップ部が回転軸と組み合わされてシール作用をなすことによって、アウターレースの軸方向端面に水分が付着して錆が発生するのを防止する。したがって、アウターレースの軸方向端面に錆が発生するのを有効に抑えることができ、よってこの錆の発生を原因として嵌合固定部が劣化したりシールリップが摺動摩耗したりするのを抑えることができる。また、当該密封装置はその構成要素が固定部および外周側シールリップ部のみよりなり、よってシンプルな構造の密封装置が提供される。
【図面の簡単な説明】
［００２９］［図１］本発明の第一実施例に係る密封装置の要部断面図
［図２］本発明の第二実施例に係る密封装置の要部断面図
［図３］本発明の第三実施例に係る密封装置の要部断面図
［図４］本発明の第四実施例に係る密封装置の要部断面図
［図５］本発明の第五実施例に係る密封装置の要部断面図
［図６］本発明の第六実施例に係る密封装置の要部断面図
［図７］本発明の第七実施例に係る密封装置の要部断面図
［図８］本発明の第八実施例に係る密封装置の要部断面図
［図９］本発明の第九実施例に係る密封装置の要部断面図
［図１０］本発明の第十実施例に係る密封装置の要部断面図
［図１１］従来例に係る密封装置の要部断面図
【符号の説明】
［００３０］  １  密封装置
【国際調査報告】
2006008898.tif 000013
2006008898.tif 000014
2006008898.tif 000015
2006008898.tif 000016